(57)【要約】      （修正有）【課題】厚手の洗濯物（ジャケット・作業服等）の乾燥時間を最短にする。特に女性用の下着類を人目に触れないように、且つ盗難にあいにくいように屋外に干せるようにする。この２点の課題を、ハンガーを改善することによって同時に解決した。【解決手段】ハンガーの内側に回転自在の内輪を設け、この内輪に洗濯物を吊すための別体の吊り輪を吊せるようにしたハンガー。【選択図】図７
2007021152.tif 000002
【特許請求の範囲】
【請求項１】
第１図のハンガー（１）の内側に穴（２）を設け内輪（１０）の両端に軸部（３）を設けて穴（２）に軸部（３）を嵌合し、ハンガー（１）の内側で内輪（１０）が自在に回転できるようにしたものに、第２図の吊り輪（２０）に連結部（２１）を設けたリング（２２）の連結部（２１）を第１図の内輪（１０）の中心軸（５）に吊るせるようにしたハンガー。
【発明の詳細な説明】
【技術分野】
【０００１】本発明は、専ら洗濯した洋服等を乾燥させる為のハンガーに関するものである。
【背景技術】
【０００２】１・従来のハンガーは、ジャンパーや作業服等の厚手の洋服を洗濯して干した場合、その洋服の前側（腹部・胸部）と後ろ側（背中）の部分が接触するため結果的に厚手の洋服が更に、倍の厚さに厚くなるためその洗濯物が乾燥するまでの時間が非常に長くなる。
また、上記のように屋外に干しておく時間が長くなるほど、外気に含まれる排気ガスや塵芥によって、せっかく洗濯したものが汚れてしまうことになる。
２・特に、女性の下着類の盗難が頻発しているが、それに対する防衛策としてスカートを筒状に大きく開いてハンガーに取り付けて、そのスカートの筒状になった中に下着を干すことによって、下着が人目につきにくいように工夫している女性も中には見受けられるが、それはエンドユーザーの防衛策であり限界がある。
メーカとしての盗難防止を意識したハンガーは無い、しかも前記２点の課題を同時に解決するためのハンガーとなると、更に無い。
【発明の開示】
【０００３】１・厚手の洗濯物を干す場合の、乾燥するまでの時間を短縮する方法を考えるに当たって、原因から探ってみると、従来のハンガーでは前側と後ろ側の繊維が接触、密着する結果、ただでさえ厚い物が単純に倍の厚さになって、これが当然の原因となり、乾燥に長時間を要することに着眼した。
従って、洋服の前側と後ろ側の間に空間を持たせることによって、洗濯物の厚みを最小限度にすると共に、これが実現すると洋服自体が必然的に筒状となり、洗濯物の内部を風が通りやすくなるから乾燥時間が最短ですむ。
この結果、外気に触れさせる時間も短く出来るため、排気ガス等による汚れも最小限に抑えることができる。
２・上記のように、洗濯物の前側と後ろ側が接触せず大きく内部を筒状に広げる工夫をすることによって、その状態で薄手の洋服、ワイシャツや薄いブラウスを上記同様に干して、その洋服の内部に人目に触れさせたくない、または盗難にあいやすい下着等を干しておけば、盗難防止の効果を得ることができる。
ただし、洗濯物の中に洗濯物を干すわけであり、若干乾燥には時間を要するから下着を覆うワイシャツ等薄手の物が好ましい。
それでも、なお若干乾燥に要する時間は長くなるが、下着等を人目に触れさせたくない、或いは盗難の危険を少しでも回避出来るのであれば、エンドユーザーとしては選択肢が増えるメリットが充分にある。
上記の２点の課題を同時に解決出来るような方法を、色々な角度から検討したがハンガーの構造若しくは形状を改善することによって解決できないか、この点に的をしぼって、研究をした結果本発明に至った。
【課題を解決するための手段】
【０００４】１・第１図、ハンガー（１）の左右の内側に同芯で向かい合う穴（２）を設けておく。
２・第１図、内輪（１０）は左右両端に軸（３）を儲けて、その軸を中心とする中心軸（５）および、中心軸の長手方向の中央から直角に設ける補強軸（６）にハンガー（１）の内側の輪郭よりも小さい輪郭である輪郭内輪（４）の構成にしておき、（４）、（５）、（６）の下側には、物を挟めるようにしたピン（７）を適当な位置に数箇所設けておく。
３・第２図、吊り輪（２０）を中心軸（５）に吊るすための、連結部（２１）を設けておき、更にリング（２２）の内径部には、リングの補強兼洗濯物を吊るせるように十字型の軸（２３）を設けて、ピン（７）と同じようにピン（２４）を設ける。
【具体的な実施例】
【０００５】１・第１図の穴（２）と軸（３）を嵌合させることによって、第３図のごとく本発明を使用できる状態になるわけであるが、第５図は内輪（１０）を水平になるような角度にして、ピン（７）に下着等（３０）を取り付けてから薄手の洋服（３１）をハンガー（１）に掛けて使用する。
第６図は内輪（１０）の角度を垂直にあわせて、従来のハンガーと同様の使い方も出来るわけであり、洗濯物を干すスペースと洗濯物の数量などにより、ユーザーの判断で自由に使い方を選択できる。
２・厚手の洋服、ジャケット等を干す場合には上記と同じ使用方法であるが、下着等（３０）につては、この場合は乾燥に長時間を要するので、干さないほうが好ましい。
３・第７図は、上記、１および２の効果を拡大させる目的でなした発明であるが、第４図の状態で使用する。
つまり、第３図の中心軸（５）に第２図の吊り輪（２０）を連結部（２１）によって取り付け、第２図のピン（２４）に下着等（３０）を取り付けてその後薄手のブラウス等をハンガー（１）に取り付けて第７図のようにして使用する。
また、第７図には記載していないが内輪（１０）のピン（７）にも下着類を取り付けて使用することも出来るが、乾燥時間や洗濯物の数量等によって、ユーザーの判断で選択できる。
尚、厚手の洗濯物を干す場合には、乾燥時間が長くなるため下着等（３０）は取り付けないほうが好ましい。
【発明による効果】
【０００６】上記のような発明であり、
１・厚手の洗濯物を干す場合には洋服の前側の繊維と後ろ側の繊維の間が大きく広げられ、その結果洗濯物の厚みが最小限となり、更に洗濯物が筒状になる結果風の通りが良くなる結果、洗濯物の乾燥時間を最短にすることができる。
洗濯物は、屋外に干すのが一般的であるが外気は排気ガスや埃等が多く、従って長時間屋外に干すほどせっかくの洗濯物が汚れる結果となりかねないが、本発明では乾燥時間が最短ですむため外気に触れる時間も最短であり、従って外気による汚れも最小限になる。
２・特に、女性の下着類については、一般的に人目に触れさせたくないわけであり、更に盗難などの標的になりやすく女性にとっては大変心配なことであるが、本発明を使用することによって、見られたくない下着等を大きな洋服などで覆って干すことによって、人目に触れず盗難の心配もなくなる。
尚、本発明を使用することによって一つ一つの洗濯物に厚みが出るので、一見、洗濯物の干場のスペースを余分に占有するように思えるかもしれないが、洗濯物の中に洗濯物を入れて干すことによって、ハンガー自体の数が減る分スペースの占有部は相殺され、ユーザーの使い方にもよるがスペースの節約になる可能性もある。
以上のような発明であり、厚手の洗濯物の乾燥時間を最短とし、女性の悩み心配である下着などの盗難防止の２つの課題を同時に解決し、さらに、外気に触れる時間が最短となる結果、洗濯物の外気による汚れを最小限に抑え、干場のスペースの節約の可能性もある発明となった。
【図面の簡単な説明】
【０００７】
【図１】は、発明のハンガーと内輪の立体的分解図を示す。
【図２】は、吊り輪の立体図を示す。
【図３】は、ハンガー（１）と内輪（１０）を組み立てた状態を示す
【図４】は、第３図に吊り輪（第２図）を取り付けた状態を示す
【図５】は、発明の使用例を示す
【図６】は、発明の使用例を示す
【図７】は、発明の使用例を示す
【図１】
2007021152.tif 000003
【図２】
2007021152.tif 000004
【図３】
2007021152.tif 000005
【図４】
2007021152.tif 000006
【図５】
2007021152.tif 000007
【図６】
2007021152.tif 000008
【図７】
2007021152.tif 000009